(57)【要約】【課題】複製先の映像蓄積配信サーバにて、複製元の映像を適切な位置に記録可能で且つ映像受信装置からの配信要求に対して、配信要求された映像を配信可能な映像蓄積配信システムを提供する。【解決手段】映像蓄積配信サーバが複数２０６Ａ，２０６Ｂあり、一方の映像蓄積配信サーバ２０６Ａから他方の映像蓄積配信サーバ２０６Ｂに映像の複製を行うとき、複製先の映像蓄積配信サーバ２０６Ｂは、複製元の映像蓄積配信サーバ２０６Ａから、複製元の映像蓄積配信サーバに記録された映像と、該映像とともに記録された付随データのうちのフレーム番号をはぶくデータを取得するとともに、複製先フレーム番号を算出し、算出した複製先フレーム番号と、取得したフレーム番号をはぶくデータとで複製先付随データを構成して、取得した映像とともに、複製元と同じ記録方式で記録することを特徴とする。【選択図】図２
2007221193.tif 000002
【特許請求の範囲】
【請求項１】
映像発信装置からネットワーク媒体経由で伝送される映像を映像蓄積配信サーバにて取得して記録し、その記録した映像を映像受信装置に再配信する映像蓄積配信システムにおいて、前記映像蓄積配信サーバが複数あり、一方の映像蓄積配信サーバから他方の映像蓄積配信サーバに映像の複製を行うとき、複製先の映像蓄積配信サーバは、複製元の映像蓄積配信サーバから、複製元の映像蓄積配信サーバに記録された映像と、該映像とともに記録された付随データのうちのフレーム番号をはぶくデータを取得するとともに、複製先フレーム番号を算出し、算出した前記複製先フレーム番号と、取得した前記フレーム番号をはぶくデータとで複製先付随データを構成して、取得した前記映像とともに、複製元と同じ記録方式で記録することを特徴とする映像蓄積配信システム。
【請求項２】
請求項１に記載の映像蓄積配信システムにおいて、前記複製先の映像蓄積配信サーバは、複製元の映像蓄積配信サーバの設定データも同時に記録することを特徴とする映像蓄積配信システム。
【請求項３】
請求項１に記載の映像蓄積配信システムにおいて、前記複製元の映像蓄積配信サーバの映像指定と、前記複製先の映像蓄積配信サーバの映像記録位置指定とを、単一の画面上で行うことが可能な操作画面を設けたことを特徴とする蓄積配信システム。
【発明の詳細な説明】
【技術分野】
【０００１】
本発明は、監視カメラ等の撮像装置で撮影された映像をネットワーク上で発信・受信・記録する映像蓄積配信システムに関するものである。
【背景技術】
【０００２】
従来から、ホテルやビル、コンビニエンスストアや金融機関、あるいはダムや道路といった公共施設には犯罪抑止や事故防止等の目的で、映像監視システムが設置されている。これは、監視対象をカメラ等の撮像装置で撮影し、その映像を、管理事務所や警備室等の監視センタに伝送し、監視者がそれを監視し、目的や必要に応じて、注意や警告をしたり、あるいは映像を録画・保存するものである。
【０００３】
近年、こうした映像監視システムの分野において、監視カメラ映像をデジタル化し、インターネットに代表されるＩＰネットワークを介して、映像を伝送し監視を行うネットワーク型映像監視システムの普及が進みつつある。
【０００４】
現在、主流となっているネットワーク型映像監視システムは、監視カメラに接続された映像発信装置から映像受信装置に向けて、ネットワークを介してライブ映像を配信するものである。常駐の監視者が常時この映像を視聴し、問題発生時には状況に応じた対応をする監視形態に適合したシステムとなっている。
【０００５】
一方で、映像監視には、上述のようなライブ映像監視を主体とするライブ型監視の他に、監視映像を記録して保存し、問題発生時に時間を遡って記録映像を見るといった監視形態もあり、金融機関や商店を中心にこうした記録型監視の顧客ニーズが存在する。
【０００６】
ネットワーク型映像監視システムには、こうした記録型監視のニーズに対応可能な映像蓄積配信サーバが存在する。
【０００７】
この映像蓄積配信サーバを含むネットワーク型映像監視システムの構成例を、図２に示す。
【０００８】
図２において、２０１はネットワーク媒体、２０２Ｃ，２０２Ｄ，２０２Ｅは映像生成装置、２０３Ｃ，２０３Ｄ，２０３Ｅは映像発信装置、２０４は映像受信装置、２０５は映像表示装置、２０６Ａ，２０６Ｂは映像蓄積配信サーバ、２０７Ａ，２０７Ｂは記録媒体である。
【０００９】
ネットワーク媒体２０１は、例えば、ネットワークケーブルや無線ＬＡＮ、公衆回線等であり、発信されたデータを伝送する役割を持つ。また、ここにはルータやハブ等のネットワーク機器も含む。映像発信装置２０３Ｃ，２０３Ｄ，２０３Ｅ、映像受信装置２０４、映像蓄積配信サーバ２０６Ａ，２０６Ｂは、ネットワーク媒体２０１に接続され、互いが通信できるようになっている。
【００１０】
映像生成装置２０２Ｃ，２０２Ｄ，２０２Ｅは、例えば、カメラといった撮像素子を持った映像生成装置であり、光を電気に変換して映像を生成する役割を持つ。
【００１１】
映像発信装置２０３Ｃ，２０３Ｄ，２０３Ｅは、例えば、映像生成装置２０３Ｃ，２０３Ｄ，２０３Ｅからの映像を受け取るインターフェースと画像コーデック、ネットワークインターフェースを内蔵したエンコーダ装置であり、映像生成装置２０２Ｃ，２０２Ｄ，２０２Ｅからの入力映像をネットワーク伝送に適した形に変換し、ネットワーク媒体２０１に発信する役割を持つ。例えば、映像生成装置２０２Ｃ，２０２Ｄ，２０２Ｅからの入力映像がアナログ映像であった場合にはデジタル変換し、ネットワーク媒体２０１の伝送帯域によっては、圧縮処理を施したりもする。
【００１２】
映像生成装置２０２Ｃ，２０２Ｄ，２０２Ｅと映像発信装置２０３Ｃ，２０３Ｄ，２０３Ｅは、それぞれ１つの装置として結合された形態でもよい。
【００１３】
映像受信装置２０４は、例えば、ネットワークインターフェースと画像コーデック，映像表示装置２０５に映像を出力するインターフェースを内蔵したデコーダ装置であり、ネットワーク媒体２０１を伝送されてきた映像を受信し、映像表示装置２０５が表示可能な形に変換し出力する役割を持つ。例えば、映像表示装置２０５がテレビモニタであった場合には、アナログ変換を行う。また、受信した映像が圧縮映像であった場合には、画像コーデックを使って伸張処理を施したりもする。
【００１４】
映像表示装置２０５は、例えば、テレビモニタ，コンピュータのＣＲＴ、液晶モニタといった投影素子を持った映像表示装置で、電気を光に変えて映像を表示する役割を持つ。
【００１５】
映像受信装置２０４と映像表示装置２０５は、１つの装置として結合された形態でもよい。例えば、テレビモニタに内蔵された形態、ＣＲＴを接続したコンピュータの形態、あるいは、表示装置を備えた携帯電話等の携帯端末の形態などが挙げられる。
【００１６】
また、映像受信装置２０４は、映像蓄積配信サーバ２０６Ａ，２０６Ｂに対し、再生や早送り等の再生指示を行う操作インターフェースも内蔵する。このインターフェースは、例えば、コンピュータ画面のＧＵＩ、あるいは、映像受信装置２０４に接続された制御盤端末でも良い。
【００１７】
映像蓄積配信サーバ２０６Ａ，２０６Ｂは、例えば、ネットワークインターフェースや、記録媒体へのインターフェースを内蔵したＰＣであり、映像発信装置２０３Ｃ，２０３Ｄ，２０３Ｅからネットワーク媒体２０１を伝送されてきた映像を受信し、接続された記録媒体２０７Ａ，２０７Ｂに映像を記録する役割と、映像受信装置２０４からの映像配信要求に応じ、記録媒体２０７Ａ，２０７Ｂより要求の映像を取出し、ネットワーク媒体２０１を介して映像受信装置２０４に取出した映像を配信する役割を持つ。
【００１８】
記録媒体２０７Ａ，２０７Ｂは、例えば、ハードディスクやディスクアレイといった映像を記録する媒体であり、映像蓄積配信サーバ２０６Ａ，２０６Ｂと、例えば、ＳＣＳＩ（Ｓｍａｌｌ  Ｃｏｍｐｕｔｅｒ  Ｓｙｓｔｅｍ  Ｉｎｔｅｒｆａｃｅ）やＡＴＡ（ＡＴ  Ａｔｔａｃｈｍｅｎｔ）、ＦｉｂｒｅＣｈａｎｎｅｌといった専用のインターフェース、または、ＳＡＮ（Ｓｔｏｒａｇｅ  Ａｒｅａ  Ｎｅｔｗｏｒｋ）やＮＡＳ（Ｎｅｔｗｏｒｋ  Ａｔｔａｃｈｅｄ  Ｓｔｏｒａｇｅ）といったＩＰネットワークを用いたインターフェース等によって結ばれている。
【００１９】
図２においては、映像受信装置２０４，映像表示装置２０５は各１個ずつの記載であるが、これらは映像蓄積配信サーバ２０６Ａ，２０６Ｂに対し、複数個接続することも可能である。また、映像蓄積配信サーバ２０６Ａ，２０６Ｂは２個の記載であるが、１個でもよいし、３個以上でもよい。映像発信装置２０３Ｃ，２０３Ｄ，２０３Ｅ他の機器も同様である。
【００２０】
映像蓄積配信サーバ２０６Ａ，２０６Ｂは、複数の映像発信装置２０３Ｃ，２０３Ｄ，２０３Ｅから発信されたそれぞれ異なった複数の映像を同時に受信し記録を行いながら、さらに並行して、映像受信装置２０４へ任意の映像を同時に配信することが可能となっている。１つの映像発信装置から発信される一連の映像を扱う単位を以降、チャンネルと称する。映像発信装置２０３Ｃ，２０３Ｄ，２０３Ｅは、それぞれチャンネルとして映像蓄積配信サーバ２０６Ａ，２０６Ｂに関連付けて設定される。映像は映像蓄積配信サーバ２０６Ａ，２０６Ｂに対し、映像受信装置２０４またはその他の機器から録画開始命令を送信することによって記録される。
【００２１】
図６は、図２の映像蓄積配信サーバにおける映像発信装置から映像蓄積配信サーバが映像を受信する時の処理のフローチャートである。
【００２２】
ここでは映像蓄積配信サーバ２０６Ａが映像発信装置２０３Ｃからの映像を受信する場合について説明する。
【００２３】
６０１は初期化処理、６０２は設定データ取得処理、６０３は映像発信装置との通信処理、６０４は映像蓄積配信サーバ側付随データ算出処理、６０５は付随データ及び映像フレームデータ格納処理、６０６は記録媒体への書き込み処理、６０７は録画終了判定処理、６０８は終了処理である。
【００２４】
初期化処理６０１は変数やメモリの初期化処理を行う。
【００２５】
設定データ取得処理６０２は、映像蓄積配信サーバ２０６Ａにおける該当チャンネルの設定データの読み出しを行う。設定データは事前に映像蓄積配信サーバ２０６Ａに設定されており、映像発信装置２０３ＣのＩＰアドレス、型式等が記述されている。
【００２６】
映像発信装置との通信処理６０３は、映像発信装置２０３Ｃとの通信処理を行い、映像フレームデータの取得処理及び映像フレームデータに付随する映像発信装置発信時刻を取得する処理を行う。フレームとは一連の映像のうちの一枚の画像を指す。通信方式は映像発信装置の型式によって異なる場合がある。
【００２７】
映像蓄積配信サーバ付随データ算出処理６０４は、映像蓄積配信サーバ録画時刻、録画種別及びフレーム番号の算出を行う。録画種別とはこの一連の録画を始めた理由であり、ある時刻がくれば録画を開始するスケジュール録画や映像受信装置２０４の指示インターフェースからの指示によって録画を開始する手動録画などがある。フレーム番号とは映像１枚ごとに一意かつ昇順に付与される映像蓄積配信サーバにおける管理番号である。
【００２８】
付随データ及び映像フレームデータ格納処理６０５は、映像発信装置との通信処理６０３で取得及び映像蓄積配信サーバ付随データ算出処理６０４で算出して得た付随データ（映像発信装置発信時刻、映像蓄積配信サーバ録画時刻、録画種別及びフレーム番号）及び映像フレームデータを、所定のメモリに格納する処理を行う。
【００２９】
記録媒体への書き込み処理６０６は、付随データ及び映像フレームデータ格納処理６０５で格納したデータを、記録媒体２０７Ａに書き込む処理を行う。
【００３０】
付随データ及び映像フレームデータ格納処理６０５及び記録媒体への書き込み処理６０６は、蓄積配信の高速化のために独自の記録方式によるファイルシステムに書き込むようになっている。
【００３１】
ここで、独自の記録方式によるファイルシステムとは、例えば特開２００５−９２６７９号公報（特許文献１）に記載してあるように、記録媒体上に位置した複数のメモリブロックを循環的に使用してデータを記録する循環型記録方式によるファイルシステムなどがある。
【００３２】
録画終了判定処理６０７は、録画を終了する条件になっているか否かをチェックする。録画を終了する条件は録画種別によって異なり、ある時刻がくれば終了するという条件であったり、映像受信装置２０４の指示インターフェースからの指示によって終了する条件であったりする。録画を終了する条件になっていれば終了処理６０８に分岐し、録画を終了する条件になっていなければ映像発信装置との通信処理６０３に分岐し、新たな映像フレームデータの取得を行う。
【００３３】
終了処理６０８はメモリの解放など録画終了時の処理を行う。
【００３４】
次に、映像蓄積配信サーバ２０６Ａまたは２０６Ｂに録画した映像を、映像表示装置２０５上に再生させる手順の例について説明する。
【００３５】
図７は、再生画面の一例の図である。この再生画面は、図２の映像表示装置２０５において表示される画面である。
【００３６】
図７において、７０１は再生画像表示欄、７０２は先頭映像への移動ボタン、７０３は巻き戻しボタン、７０４は再生ボタン、７０５は早送りボタン、７０６は末尾映像への
移動ボタン、７０７は停止ボタン、７０８は時刻入力欄、７０９は日時検索ボタンである。
【００３７】
図８は、再生を説明するためのフレーム番号と録画時刻の一例を示す図である。
【００３８】
（１）ユーザが、映像表示装置２０５上の再生画面において、再生したい時刻（例えば2005/8/22 16:13:56:789）を時刻入力欄７０８に入力し、日時検索ボタン７０９を押す。
【００３９】
（２）映像受信装置２０４は、日時検索ボタン７０９が押されると、映像蓄積配信サーバ２０６Ａに現在記録されている中で、循環型記録方式によって上書きされていない最も古い映像のフレーム番号と録画時刻を、映像蓄積配信サーバ２０６Ａに問い合わせる。また、最も新しい映像のフレーム番号と録画時刻を問い合わせる。
【００４０】
（３）このとき最も古い映像のフレーム番号が１０００、最も新しい映像のフレーム番号が５０００であったら、ちょうど真ん中の値であるフレーム番号３０００の録画時刻を、映像蓄積配信サーバ２０６Ａに問い合わせる。
【００４１】
（４）このとき例えばフレーム番号と録画時刻が図８のようであった場合、再生を要求された時刻である2005/8/22 16:13:56:789の映像は、少なくともフレーム番号３０００〜５０００の間に存在することが分かる。よって次は３０００と５０００の真ん中の値であるフレーム番号４０００の録画時刻を映像蓄積配信サーバ２０６Ａに問い合わせる。
【００４２】
（５）（４）を繰り返していくと最終的に再生したい時刻のフレーム番号の値が分かる。
【００４３】
（６）再生したい時刻のフレーム番号の値が３５０１であったとすると、映像受信装置２０４はフレーム番号が３５０１の映像を映像蓄積配信サーバ２０６Ａに要求する。映像受信装置２０４は映像蓄積配信サーバ２０６Ａから送られた映像を映像表示装置２０５の再生画像表示欄７０１に表示する。
【００４４】
（７）ユーザが再生ボタン７０４を押した場合、映像受信装置２０４は次にフレーム番号の値が３５０２の映像を映像蓄積配信サーバ２０６Ａに要求し、その後フレーム番号の値が３５０３、３５０４と順次映像蓄積配信サーバ２０６Ａに要求する。映像受信装置２０４は映像蓄積配信サーバ２０６Ａから送られた映像を映像表示装置２０５の再生画像表示欄７０１に表示する。
【００４５】
（８）ユーザが早送りボタン７０５を押した場合、映像受信装置２０４はフレーム番号の値が３５０３、３５０５、３５０７と映像蓄積配信サーバ２０６Ａに要求する。映像受信装置２０４は映像蓄積配信サーバ２０６Ａから送られた映像を映像表示装置２０５の再生画像表示欄７０１に表示する。
【００４６】
【特許文献１】特開２００５−９２６７９号公報
【発明の開示】
【発明が解決しようとする課題】
【００４７】
例えば映像発信装置２０３Ｃが発信する映像を、映像蓄積配信サーバ２０６Ａに記録して蓄積していた映像蓄積配信システムに対して、システムの構成を変更するために、映像蓄積配信サーバ２０６Ｂを追加し、今後は映像発信装置２０３Ｃの映像を映像蓄積配信サーバ２０６Ｂに記録して蓄積する場合があり、その場合には、過去に映像発信装置２０３Ｃから映像蓄積配信サーバ２０６Ａに記録して蓄積した映像フレームデータを、映像蓄積配信サーバ２０６Ｂに複製する必要がある。
【００４８】
しかしながら、上記特許文献１においては、過去に映像発信装置２０３Ｃから映像蓄積配信サーバ２０６Ａに記録して蓄積した映像フレームデータを、映像蓄積配信サーバ２０６Ｂに複製することについては、なんらふれていない。
【００４９】
複製元の映像蓄積配信サーバ２０６Ａは、単に映像フレームデータのみを記録するものではなく、複製元のフレーム番号，録画時刻等からなる付随データやチャンネル毎の設定データも記録している。
【００５０】
したがって、複製先の映像蓄積配信サーバ２０６Ｂも、映像フレーム番号，録画時刻等からなる付随データやチャンネル毎の設定データも記録する必要があるが、フレーム番号は、複製元のフレーム番号ではなく複製先のフレーム番号を記録しないと、映像蓄積配信サーバ２０６Ｂの記録媒体２０７Ｂへの書き込み位置を適切に指定できない。
【００５１】
特に、循環型記録方式によるファイルシステムの場合は、書き込み位置を適切に指定しないと、既に記録済のデータが消去されてしまう現象が発生する。
【００５２】
また、複製先の映像蓄積配信サーバ２０６Ｂは、映像受信装置２０４からの配信要求に対して、配信要求された映像を、映像受信装置２０４に配信することができない。
【００５３】
本発明の目的は、複製先の映像蓄積配信サーバにて、複製元の映像を適切な位置に記録可能で且つ映像受信装置からの配信要求に対して、配信要求された映像を配信可能な映像蓄積配信システムを提供することにある。
【課題を解決するための手段】
【００５４】
本発明の映像蓄積配信システムは、映像発信装置からネットワーク媒体経由で伝送される映像を映像蓄積配信サーバにて取得して記録し、その記録した映像を映像受信装置に再配信する映像蓄積配信システムにおいて、前記映像蓄積配信サーバが複数あり、一方の映像蓄積配信サーバから他方の映像蓄積配信サーバに映像の複製を行うとき、複製先の映像蓄積配信サーバは、複製元の映像蓄積配信サーバから、複製元の映像蓄積配信サーバに記録された映像と、該映像とともに記録された付随データのうちのフレーム番号をはぶくデータを取得するとともに、複製先フレーム番号を算出し、算出した前記複製先フレーム番号と、取得した前記フレーム番号をはぶくデータとで複製先付随データを構成して、取得した前記映像とともに、複製元と同じ記録方式で記録することを特徴とする。
【００５５】
また、本発明の映像蓄積配信システムは、前記複製先の映像蓄積配信サーバは、複製元の映像蓄積配信サーバの設定データも同時に記録することを特徴とする。
【００５６】
また、本発明の映像蓄積配信システムは、前記複製元の映像蓄積配信サーバの映像指定と、前記複製先の映像蓄積配信サーバの映像記録位置の指定とを、単一の画面上で行うことが可能な操作画面を設けたことを特徴とする。
【発明の効果】
【００５７】
本発明によれば、複製先の映像蓄積配信サーバにて、複製元の映像を適切な位置に記録可能で且つ映像受信装置からの配信要求に対して、配信要求された映像を配信可能な映像蓄積配信システムを得ることができる。
【発明を実施するための最良の形態】
【００５８】
本発明の実施の形態について、以下に説明する。
【００５９】
ここでは、図２の映像発信装置２０３Ｃが発信する映像を、映像蓄積配信サーバ２０６Ａに記録・蓄積していた映像蓄積配信システムに対して、システムの構成を変更するために、映像蓄積配信サーバ２０６Ｂを追加し、今後は映像発信装置２０３Ｃの映像を映像蓄積配信サーバ２０６Ｂに記録して蓄積する場合において、過去に映像発信装置２０３Ｃから映像蓄積配信サーバ２０６Ａに記録して蓄積された映像を、映像蓄積配信サーバ２０６Ｂに複製する場合について説明する。
【００６０】
図１は、本発明による複製操作画面の一例の図である。この複製操作画面は、図２の映像表示装置２０５において表示される画面である。
【００６１】
図１において、１０１は複製元映像表示欄、１０２は先頭映像への移動ボタン、１０３は巻き戻しボタン、１０４は再生ボタン、１０５は早送りボタン、１０６は末尾映像への移動ボタン、１０７は停止ボタン、１０８は複製開始時刻に設定ボタン、１０９は複製終了時刻に設定ボタンを表している。
【００６２】
また、１１０は複製元の映像蓄積配信サーバのＩＰアドレス入力欄、１１１は複製先の映像蓄積配信サーバのＩＰアドレス入力欄、１１２は複製元の映像蓄積配信サーバのチャンネル選択欄、１１３は複製先の映像蓄積配信サーバのチャンネル選択欄、１１４は複製開始時刻欄、１１５は複製終了時刻欄、１１６は複製先の映像蓄積配信サーバの先頭映像時刻、１１７は複製先の映像蓄積配信サーバの末尾映像時刻、１１８は映像複製実行ボタンを表している。
【００６３】
また、１１９は複製元の映像蓄積配信サーバのチャンネルに設定されている映像発信装置のＩＰアドレス表示欄、１２０は複製元の映像蓄積配信サーバのチャンネルに設定されている映像発信装置の型式表示欄、１２１は複製先の映像蓄積配信サーバのチャンネルに設定されている映像発信装置のＩＰアドレス表示欄、１２２は複製先の映像蓄積配信サーバのチャンネルに設定されている映像発信装置の型式表示欄、１２３は設定複製実行ボタンを表している。
【００６４】
複製元映像表示欄１０１はボタン群１０２〜１０７の操作に従って複製元の映像を表示し、操作者に複製元の映像フレームデータを提示する表示欄である。先頭映像への移動ボタン１０２は複製元の映像蓄積配信サーバの指定チャンネルの先頭映像を複製元映像表示欄１０１に表示させる指示を与えるボタンである。巻き戻しボタン１０３は現在、複製元映像表示欄１０１に表示されている映像に対し、古い時間方向に映像を取出し続ける指示を与えるボタンである。再生ボタン１０４は現在、複製元映像表示欄１０１に表示されている映像に対し、新しい時間方向に実時間で映像を取出し続ける指示を与えるボタンである。
【００６５】
早送りボタン１０５は現在、複製元映像表示欄１０１に表示されている映像に対し、新しい時間方向に実時間より高速で映像を取出し続ける指示を与えるボタンである。末尾映像への移動ボタン１０６は複製元の映像蓄積配信サーバの指定チャンネルの末尾映像を複製元映像表示欄１０１に表示させる指示を与えるボタンである。停止ボタン１０７は現在、複製元映像表示欄１０１に表示されている映像に対し、映像取出し停止をする指示を与えるボタンである。
【００６６】
複製開始時刻に設定ボタン１０８は複製元映像表示欄１０１に現在表示している映像を複製開始時刻欄１１４に設定する指示を与えるボタンである。複製終了時刻に設定ボタン１０９は複製元映像表示欄１０１に現在表示している映像を複製終了時刻欄１１４に設定する指示を与えるボタンである。
【００６７】
複製元の映像蓄積配信サーバのＩＰアドレス入力欄１１０は複製元の映像蓄積配信サーバを特定するＩＰアドレスを入力するための入力欄である。複製先の映像蓄積配信サーバのＩＰアドレス入力欄１１１は複製先の映像蓄積配信サーバを特定するＩＰアドレスを入力するための入力欄である。
【００６８】
複製元の映像蓄積配信サーバのチャンネル選択欄１１２は複製元の映像蓄積配信サーバの複製したいチャンネルを指定する切替え指示を与えるための選択欄である。複製先の映像蓄積配信サーバのチャンネル選択欄１１３は複製先の映像蓄積配信サーバの複製先チャンネルを指定するための選択欄である。
【００６９】
複製開始時刻欄１１４は複製範囲の始点の時刻を示す表示欄である。複製終了時刻欄１１５は複製範囲の終点の時刻を示す表示欄である。複製先の映像蓄積配信サーバの先頭映像時刻１１６は複製先の先頭映像の時刻を示す表示欄である。複製先の映像蓄積配信サーバの末尾映像時刻１１７は複製先の末尾映像の時刻を示す表示欄である。映像複製実行ボタン１１８は複製元から複製先への映像複製の実行指示を与えるボタンである。
【００７０】
複製元の映像蓄積配信サーバのチャンネルに設定されている映像発信装置のＩＰアドレス表示欄１１９は複製元の映像蓄積配信サーバのチャンネルに設定されている映像発信装置のＩＰアドレスを表示する欄である。複製元の映像蓄積配信サーバのチャンネルに設定されている映像発信装置の型式表示欄１２０は複製元の映像蓄積配信サーバのチャンネルに設定されている映像発信装置の型式を表示する欄である。
【００７１】
複製先の映像蓄積配信サーバのチャンネルに設定されている映像発信装置のＩＰアドレス表示欄１２１は複製先の映像蓄積配信サーバのチャンネルに設定されている映像発信装置のＩＰアドレスを表示する欄である。複製先の映像蓄積配信サーバのチャンネルに設定されている映像発信装置の型式表示欄１２２は複製先の映像蓄積配信サーバのチャンネルに設定されている映像発信装置の型式を表示する欄である。
【００７２】
設定複製実行ボタン１２３は複製元から複製先への設定データの複製の実行指示を与えるボタンである。
【００７３】
図４は、複製元の映像蓄積配信サーバ設定データと複製先の映像蓄積配信サーバ設定データの例を示す図である。
【００７４】
４０１は複製元の映像蓄積配信サーバ設定データであり、複製元の映像蓄積配信サーバ設定データ４０１は、図２における複製元の映像蓄積配信サーバ２０６Ａに内蔵するメモリに記憶されている。
【００７５】
４０２は複製先の映像蓄積配信サーバ設定データであり、複製先の映像蓄積配信サーバ設定データ４０２は、図２における複製先の映像蓄積配信サーバ２０６Ｂに内蔵するメモリに記憶されている。
【００７６】
複製元の映像蓄積配信サーバ設定データ４０１及び複製先の映像蓄積配信サーバ設定データ４０２は、共に、映像発信装置ＩＰアドレス、映像発信装置型式を含み、チャンネル番号毎に複数存在する。
【００７７】
本実施の形態では、例えば複製元の映像蓄積配信サーバ２０６Ａにおけるチャンネル番号２は、図１の複製元の映像蓄積配信サーバ２０６Ａのチャンネル選択欄１１２で、番号２を選択することで、映像発信装置２０３ＣのＩＰアドレス表示欄１１９に、１９２．１６８．１．９１のＩＰアドレスが表示されて設定され、映像発信装置２０３Ｃの型式表示欄１２０に、ＹＹＹの形式が表示されて設定されることを示している。
【００７８】
以下に複製を行う一連の流れについて説明する。
【００７９】
操作者は、図２における映像受信装置２０４において、映像表示装置２０５の図１に示す複製操作画面の起動操作を行う。
【００８０】
操作者は、図１において、まず、複製先の映像蓄積配信サーバのＩＰアドレス入力欄１１１に、複製先の映像蓄積配信サーバのＩＰアドレスを入力することによって、複製先の映像蓄積配信サーバの特定を行う。図１の例では、複製先の映像蓄積配信サーバのＩＰアドレス入力欄１１１に、複製先の映像蓄積配信サーバ２０６ＢのＩＰアドレス、１９２．１６８．１．１２１を入力している。このときＩＰアドレスではなくホスト名やその他の手段によって複製先の映像蓄積配信サーバを特定するようにしても良い。
【００８１】
次に複製先の映像蓄積配信サーバのチャンネル選択欄１１３で番号を選択することによって、複製先の映像蓄積配信サーバの複数のチャンネルのうち、どのチャンネルに映像を複製するかを選択する。図１の例では、複製先の映像蓄積配信サーバのチャンネル選択欄１１３で、番号４を選択している。
【００８２】
このとき、既に映像が当該チャンネルに録画されていれば、複製先の映像蓄積配信サーバ２０６Ｂの先頭映像時刻１１６および複製先の映像蓄積配信サーバ２０６Ｂの末尾映像時刻１１７に、時刻が表示される。また、既に当該チャンネルに設定データがあれば、複製先の映像蓄積配信サーバのチャンネルに設定されている映像発信装置のＩＰアドレス表示欄１２１及び複製先の映像蓄積配信サーバのチャンネルに設定されている映像発信装置の型式表示欄１２２に、設定データが表示される。
【００８３】
次に、複製元の映像蓄積配信サーバのＩＰアドレス入力欄１１０に複製元の映像蓄積配信サーバのＩＰアドレスを入力することによって、複製元の映像蓄積配信サーバの特定を行う。図１の例では複製元の映像蓄積配信サーバ２０６ＡのＩＰアドレス入力欄１１０に、複製元の映像蓄積配信サーバ２０６ＡのＩＰアドレス、１９２．１６８．１．１２０を入力している。このときＩＰアドレスではなくホスト名やその他の手段によって複製元の映像蓄積配信サーバを特定するようにしても良い。
【００８４】
次に複製元の映像蓄積配信サーバのチャンネル選択欄１１３から番号を選択することによって、複製元の映像蓄積配信サーバの複数のチャンネルのうちどのチャンネルから映像を複製するかを選択する。
【００８５】
このとき、選択したチャンネル番号に対応する映像発信装置のＩＰアドレスと映像発信装置の型式が、図４に示す複製元の映像蓄積配信サーバ設定データ４０１から読み出されて、複製元の映像蓄積配信サーバのチャンネルに設定されている映像発信装置のＩＰアドレス表示欄１１９及び複製元の映像蓄積配信サーバのチャンネルに設定されている映像発信装置の型式表示欄１２０に、表示される。図１の例では映像発信装置のＩＰアドレス表示欄１１９に、映像発信装置２０３ＣのＩＰアドレス、１９２．１６８．１．９１が、また映像発信装置の型式表示欄１２０に、映像発信装置２０３Ｃの型式、ＹＹＹが表示されている。
【００８６】
ここで、操作者が複製開始時刻に設定したい映像を、操作ボタン群１０２〜１０７を操作することによって複製元映像表示欄１０１に映像を表示させ、複製開始時刻に設定ボタン１０８を押下すると、複製開始時刻欄１１４に現在複製元映像表示欄１０１に表示されている映像の時刻が設定される。複製開始時刻欄１１４は複製開始時刻に設定ボタン１０８の押下によってではなく、操作者が直接複製開始時刻欄１１４に入力してもかまわない。図１の例では2005/8/22 16:13:56:900という時刻が入力されている。
【００８７】
同様に、操作者が複製終了時刻に設定したい映像を、操作ボタン群１０２〜１０７を操作することによって複製元映像表示欄１０１に映像を表示させ、複製終了時刻に設定ボタン１０９を押下すると、複製終了時刻欄１１５に、現在複製元映像表示欄１０１に表示されている映像の時刻が設定される。複製停止時刻表示欄１１５は複製停止時刻に設定ボタン１０９の押下によってではなく、操作者が直接複製停止時刻表示欄１１５に入力してもかまわない。図１の例では2005/8/23 10:11:12:345という時刻が入力されている。
【００８８】
図１はここまでの操作を行った場合の状態を示している。
【００８９】
複製開始時刻欄１１４及び複製終了時刻欄１１５に値が存在する場合において、操作者が映像複製ボタン１１８を押下すると映像の複製が開始される。映像の複製が完了すると、複製先の映像蓄積配信サーバの先頭映像時刻１１６および複製先の映像蓄積配信サーバの末尾映像時刻１１７が更新される。
【００９０】
また、複製元の映像蓄積配信サーバのチャンネルに設定されている映像発信装置のＩＰアドレス表示欄１１９及び複製元の映像蓄積配信サーバのチャンネルに設定されている映像発信装置の型式表示欄１２０に値が存在する場合において、操作者が設定複製ボタン１２３を押下すると設定データの複製が開始される。設定データの複製が完了すると、複製先の映像蓄積配信サーバのチャンネルに設定されている映像発信装置のＩＰアドレス表示欄１２１及び複製先の映像蓄積配信サーバのチャンネルに設定されている映像発信装置の型式表示欄１２２が更新される。
【００９１】
設定複製実行ボタン１２３が押下され設定データが複製されるとき、複製元の映像蓄積配信サーバ設定データ４０１（図４）の該当チャンネル番号から、映像発信装置ＩＰアドレス、映像発信装置型式の値が読み出され、複製先の映像蓄積配信サーバ設定データ４０２の選択されたチャンネル番号の映像発信装置ＩＰアドレス、映像発信装置型式の値に上書きされる。
【００９２】
図３は、複製元の映像蓄積配信サーバでの付随データと複製先の映像蓄積配信サーバでの付随データの例を示す図である。
【００９３】
３０１は複製元の映像蓄積配信サーバでの付随データであり、複製元の映像蓄積配信サーバでの付随データ３０１は、図２における記録媒体２０７Ａに格納されている。
【００９４】
３０２は複製先の映像蓄積配信サーバでの付随データであり、複製先の映像蓄積配信サーバでの付随データ３０２は、図２における記録媒体２０７Ｂに格納されている。
【００９５】
複製元の映像蓄積配信サーバでの付随データ３０１及び複製先の映像蓄積配信サーバでの付随データ３０２は、共に、映像蓄積配信サーバフレーム番号、映像発信装置発信時刻、映像蓄積配信サーバ録画時刻、映像蓄積配信サーバ録画種別を含んでおり、これらの情報は映像のフレーム毎に付与されている。
【００９６】
図５は、図１に示す本発明による複製操作画面において、映像複製ボタン１１８が押下された場合に、複製先の映像蓄積配信サーバにおいて実行される処理のフローチャートである。
【００９７】
５０２は複製情報取得処理、５０３は複製元の映像蓄積配信サーバとの通信処理、５０４は複製先の映像蓄積配信サーバ側フレーム番号算出処理、５０７は複製修了判定処理である。
【００９８】
６０１、６０５、６０６及び６０８は、図６と同じなので説明を省略する。
【００９９】
複製情報取得処理５０２は、図１の複製先の映像蓄積配信サーバのチャンネル選択欄１１３で選択された複製先チャンネル番号の読み出し、さらに複製元の映像蓄積配信サーバのＩＰアドレス入力欄１１０、複製元の映像蓄積配信サーバのチャンネル選択欄１１２、複製開始時刻欄１１４、複製終了時刻欄１１５の情報の読み出しを行う。
【０１００】
複製元の映像蓄積配信サーバとの通信処理５０３は、映像蓄積配信サーバ２０６Ａとの通信処理を行い、映像フレームデータの取得処理及び複製元の映像蓄積配信サーバでの付随データ３０１（図３）を取得する処理を行う。
【０１０１】
複製先の映像蓄積配信サーバフレーム番号算出処理５０４は、複製先の映像蓄積配信サーバ２０６Ｂにおけるフレーム番号の算出を行う。
【０１０２】
付随データ及び映像フレームデータ格納処理６０５は、複製元の映像蓄積配信サーバとの通信処理５０３で取得及び複製先の映像蓄積配信サーバフレーム番号算出処理５０４で算出して得た付随データ（映像発信装置発信時刻、複製元の映像蓄積配信サーバ録画時刻、録画種別及び複製先の映像蓄積配信サーバフレーム番号）及び映像フレームデータを、所定のメモリに格納する処理を行う。
【０１０３】
記録媒体への書き込み処理６０６は、付随データ及び映像フレームデータ格納処理６０５で格納したデータを、記録媒体２０７Ｂに書き込む処理を行う。
【０１０４】
複製終了判定処理５０７は複製を終了する条件になっているか否かをチェックする。複製を終了する条件は複製終了時刻欄１１５に表示の複製修了時刻までの映像フレームデータを複製し終えたか否かである。複製を終了する条件になっていれば終了処理６０８に分岐し、複製を終了する条件になっていなければ複製元の映像蓄積配信サーバとの通信処理５０３に分岐し、新たな映像フレームデータの取得を行う。
【０１０５】
ここで、付随データ及び映像フレームデータ格納処理６０５及び記録媒体への書き込み処理６０６は変更されていないため、高速での蓄積配信のための独自の循環型記録方式によるファイルシステムは維持されている。
【０１０６】
それでいて、複製先の映像蓄積配信サーバ２０６Ｂは、複製先のフレーム番号を記録するので、記録媒体２０７Ｂへの書き込み位置を適切に指定して映像を記録することができ、且つ映像受信装置からの配信要求に対して、配信要求された映像を配信することができる。
【図面の簡単な説明】
【０１０７】
【図１】本発明による複製操作画面の一例の図である。
【図２】従来及び本発明の実施の形態に共通の、映像蓄積配信サーバを含むネットワーク型映像監視システムの構成例を示す図である。
【図３】複製元の映像蓄積配信サーバでの付随データと複製先の映像蓄積配信サーバでの付随データの例を示す図である。
【図４】複製元の映像蓄積配信サーバ設定データと複製先の映像蓄積配信サーバ設定データの例を示す図である。
【図５】図１に示す本発明による複製操作画面において、映像複製ボタンが押下された場合に、複製先の映像蓄積配信サーバにおいて実行される処理のフローチャート図である。
【図６】図２の映像蓄積配信サーバにおける映像発信装置から映像蓄積配信サーバが映像を受信する時の処理のフローチャートである。
【図７】再生画面の一例の図である。
【図８】再生を説明するためのフレーム番号と録画時刻の一例を示す図である。
【符号の説明】
【０１０８】
１０１：複製元映像表示欄、１０２：先頭映像への移動ボタン、１０３：巻き戻しボタン、１０４：再生ボタン、１０５：早送りボタン、１０６：末尾映像への移動ボタン、１０７：停止ボタン、１０８：複製開始時刻に設定ボタン、１０９：複製終了時刻に設定ボタン、１１０：複製元の映像蓄積配信サーバのＩＰアドレス入力欄、１１１：複製先の映像蓄積配信サーバのＩＰアドレス入力欄、１１２：複製元の映像蓄積配信サーバのチャンネル選択欄、１１３：複製先の映像蓄積配信サーバのチャンネル選択欄、１１４：複製開始時刻欄、１１５：複製終了時刻欄、１１６：複製先の映像蓄積配信サーバの先頭映像時刻、１１７：複製先の映像蓄積配信サーバの末尾映像時刻、１１８：映像複製実行ボタン、１１９：複製元の映像蓄積配信サーバのチャンネルに設定されている映像発信装置のＩＰアドレス表示欄、１２０：複製元の映像蓄積配信サーバのチャンネルに設定されている映像発信装置の型式表示欄、１２１：複製先の映像蓄積配信サーバのチャンネルに設定されている映像発信装置のＩＰアドレス表示欄、１２２：複製先の映像蓄積配信サーバのチャンネルに設定されている映像発信装置の型式表示欄、１２３：設定複製実行ボタン、２０１：ネットワーク媒体、２０２Ｃ，２０２Ｄ，２０２Ｅ：映像生成装置、２０３Ｃ，２０３Ｄ，２０３Ｅ：映像発信装置、２０４：映像受信装置、２０５：映像表示装置、２０６Ａ，２０６Ｂ：映像蓄積配信サーバ、２０７Ａ，２０７Ｂ：記録媒体、３０１：複製元の映像蓄積配信サーバでの付随データ、３０２：複製後の複製先の映像蓄積配信サーバでの付随データ、４０１：複製元の映像蓄積配信サーバ設定データ、４０２：複製後の複製先の映像蓄積配信サーバ設定データ、５０２：複製情報取得処理、５０３：複製元の映像蓄積配信サーバとの通信処理、５０４：フレーム番号算出処理、５０７：複製修了判定処理、６０１：初期化処理、６０２：設定データ取得処理、６０３：映像発信装置との通信処理、６０４：映像蓄積配信サーバ側付随データ算出処理、６０５：付随データ及び映像フレームデータ格納処理、６０６：記録媒体への書き込み処理、６０７：録画終了判定処理、６０８：終了処理、７０１：再生画像表示欄、７０２：先頭映像への移動ボタン、７０３：巻き戻しボタン、７０４：再生ボタン、７０５：早送りボタン、７０６：末尾映像への移動ボタン、７０７：停止ボタン、７０８：時刻入力欄、７０９：日時検索ボタン。
【図１】
2007221193.tif 000003
【図２】
2007221193.tif 000004
【図３】
2007221193.tif 000005
【図４】
2007221193.tif 000006
【図５】
2007221193.tif 000007
【図６】
2007221193.tif 000008
【図７】
2007221193.tif 000009
【図８】
2007221193.tif 000010